(57)【要約】  放出物処理装置は、放出混合物を受け取り、放出混合物から油および水を分離することによって清浄な空気を提供するよう構成された分離デバイスを備える。部材は、分離した油および水のうち油のみまたは水のみのどちらかが、部材の第１の面から部材の開口を通って部材の第２の面に通過することを選択的に許容する。サンプは、（ｉ）水のみが第１の面から第２の面に通過する場合には、第１の面側で油を受け取って留保するように、また、（ｉｉ）油のみが第１の面から第２の面に通過する場合には、第２の面側で油を受け取って留保するように構成されている。分離デバイスからの清浄な空気は空気出口を通って大気に排気され、水は水出口を通って大気に排出される。
2021522989.tif 000002
【特許請求の範囲】
【請求項１】
放出物処理装置であって、
空気、油、および水を含む放出混合物を受け取り、該放出混合物から油および水を分離することによって清浄な空気を提供するよう構成された分離デバイスと、
部材であって、前記分離デバイスからの分離した前記油および水のうち油のみまたは水のみのどちらかが、前記部材の第１の面から前記部材の開口を通って前記部材の第２の面に通過することを選択的に許容するための部材と、
（ｉ）前記水のみが前記第１の面から前記第２の面に通過する場合には、前記部材の前記第１の面側で前記油を受け取って留保するように、また、（ｉｉ）前記油のみが前記第１の面から前記第２の面に通過する場合には、前記部材の前記第２の面側で前記油を受け取って留保するように構成されたサンプと、
前記分離デバイスからの前記清浄な空気を大気に排気する空気出口と、
前記水を大気に排出する水出口と、
を備える、放出物処理装置。
【請求項２】
前記部材は、親水性材料のメッシュであって、前記分離デバイスからの分離した前記油および水のうち水のみが前記メッシュの第１の面から前記メッシュの開口を通って前記メッシュの第２の面に通過するのを許容する親水性材料のメッシュを備える、請求項１記載の放出物処理装置。
【請求項３】
前記部材は、親油性材料のメッシュであって、前記分離デバイスからの分離した前記油および水のうち油のみが前記メッシュの第１の面から前記メッシュの開口を通って前記メッシュの第２の面に通過するのを許容する親油性材料のメッシュを備える、請求項１記載の放出物処理装置。
【請求項４】
前記分離デバイスは、前記部材に対して位置決めされた１つまたは複数のバッフルを含み、該バッフルは、放出混合物を偏向して衝突力を生成し、油、水、および空気の分離を支援する、請求項１記載の放出物処理装置。
【請求項５】
前記部材は、約１５０度〜約１８０度の油接触角を有する超疎油性メッシュを備える、請求項１記載の放出物処理装置。
【請求項６】
前記部材は、約１５０度〜約１８０度の水接触角を有する超疎水性メッシュを備える、請求項１記載の放出物処理装置。
【請求項７】
放出物処理装置であって、
空気、油、および水を含む放出混合物を空気乾燥器のパージ弁から受け取り、前記放出混合物から油および水を分離することによって清浄な空気を提供するよう構成された分離デバイスと、
メッシュスクリーンであって、前記分離デバイスからの分離した前記油および水を受け取り、前記油が前記メッシュスクリーンのメッシュ開口を通流するのを許容するとともに前記水が前記メッシュスクリーンの前記メッシュ開口を通流するのを妨げるように構成されたメッシュスクリーンと、
前記メッシュスクリーンの前記メッシュ開口を通流してきた前記油を受け取って留保するように構成されたサンプと、
前記分離デバイスからの前記清浄な空気を大気に排気する空気出口と、
前記メッシュスクリーンの前記メッシュ開口を通流するのを妨げられた前記水を大気に排出する水出口と、
を備える、放出物処理装置。
【請求項８】
前記メッシュスクリーンは、前記分離デバイスからの分離した前記油および水のうち油のみが前記メッシュスクリーンの前記メッシュ開口を通流するのを許容する親油性材料を備える、請求項７記載の放出物処理装置。
【請求項９】
前記メッシュスクリーンの前記メッシュ開口は、約８．０×１０−４インチ（０．００２センチメートル）〜約８．０×１０−３インチ（０．０２センチメートル）の平均開口サイズを有する、請求項７記載の放出物処理装置。
【請求項１０】
前記メッシュスクリーンは、前記サンプの上方に配置されかつ円錐形であり、該円錐形メッシュスクリーンの頂部は、前記メッシュスクリーンの前記メッシュ開口を通流するのを妨げられた水が前記円錐形メッシュスクリーンの前記頂部に向かって下向きに流れて大気に排出されるように下向きである、請求項７記載の放出物処理装置。
【請求項１１】
前記水出口は、前記円錐形メッシュスクリーンの前記頂部に配置され、前記水を下向きに導いて大気に排出する、請求項１０記載の放出物処理装置。
【請求項１２】
前記円錐形メッシュスクリーンの前記頂部の近傍かつ前記水出口の上方に配置された常開のドレン弁をさらに備え、前記ドレン弁は、前記円錐形メッシュスクリーンの前記頂部の近傍に圧力がないことに応答して開いたままであり、収集された前記水が前記水出口を通って大気に排出するのを許容する、請求項１１記載の放出物処理装置。
【請求項１３】
放出物処理装置であって、
空気、油、および水を含む放出混合物を空気乾燥器のパージ弁から受け取り、前記放出混合物から油および水を分離することによって清浄な空気を提供するよう構成された分離デバイスと、
メッシュスクリーンであって、前記分離デバイスからの分離した前記油および水を受け取り、前記油が前記メッシュスクリーンのメッシュ開口を通流するのを妨げるとともに前記水が前記メッシュスクリーンの前記メッシュ開口を通流するように構成されたメッシュスクリーンと、
前記メッシュスクリーンの前記メッシュ開口を通流するのを妨げられた前記油を受け取って留保するように構成されたサンプと、
前記分離デバイスからの前記清浄な空気を大気に排気する空気出口と、
前記メッシュスクリーンの前記メッシュ開口を通流してきた前記水を大気に排出する水出口と、
を備える、放出物処理装置。
【請求項１４】
前記メッシュスクリーンは、前記分離デバイスからの分離した前記油および水のうち水のみが前記メッシュスクリーンの前記メッシュ開口を通流するのを許容する親水性材料を備える、請求項１３記載の放出物処理装置。
【請求項１５】
前記メッシュスクリーンの前記メッシュ開口は、約８．０×１０−４インチ（０．００２センチメートル）〜約８．０×１０−３インチ（０．０２センチメートル）の平均開口サイズを有する、請求項１３記載の放出物処理装置。
【請求項１６】
（ｉ）前記メッシュスクリーンは実質的に円筒形であり、（ｉｉ）前記サンプは前記円筒形メッシュスクリーンの下端部に配置されている、請求項１３記載の放出物処理装置。
【請求項１７】
前記メッシュスクリーンの前記メッシュ開口を通流するのを妨げられた前記油が、前記円筒形メッシュスクリーンの前記下端部に集まるよう、前記水出口は前記円筒形メッシュスクリーンの外周側に配置されている、請求項１６記載の放出物処理装置。
【請求項１８】
前記分離デバイスは、前記円筒形メッシュスクリーンの内周側に配置された１つまたは複数のバッフルを含み、該バッフルは、前記放出混合物を偏向して衝突力を生成し、油、水、および空気の分離を支援する、請求項１７記載の放出物処理装置。
【請求項１９】
（ｉ）前記メッシュスクリーンは円錐形であり、（ｉｉ）前記サンプは、前記メッシュスクリーンの前記メッシュ開口を通流するのを妨げられた油が、前記円錐形メッシュスクリーンの基部に集まるよう前記円錐形メッシュスクリーンの前記基部に配置されている、請求項１３記載の放出物処理装置。
【請求項２０】
前記水出口は、前記円錐形メッシュスクリーンの外周側に配置されている、請求項１９記載の放出物処理装置。
【請求項２１】
前記分離デバイスは、前記円錐形メッシュスクリーンの内周側に配置された１つまたは複数のバッフルを含み、該バッフルは、前記放出混合物を偏向して衝突力を生成し、油、水、および空気の分離を支援する、請求項２０記載の放出物処理装置。
【発明の詳細な説明】
【技術分野】
【０００１】
本出願は、車両空気ブレーキ充填システムに関し、特に、車両空気ブレーキ充填システム、例えばトラック空気ブレーキ充填システム用の放出物処理装置に向けられている。
【背景技術】
【０００２】
トラック空気ブレーキ充填システムは、空気ブレーキシステム用に空気圧を増大させる車両空気コンプレッサを含む。コンプレッサは通常、エンジン油の供給によって潤滑されている。ガバナは、供給リザーバ内の空気圧を監視することにより、システム空気圧を事前設定された最大圧力レベルと最小圧力レベルとの間に制御する。供給リザーバの空気圧がガバナの事前設定された「カットアウト」調節点の空気圧よりも大きくなると、ガバナは、コンプレッサを制御してコンプレッサの空気増圧を停止するとともに、コンプレッサの下流の空気乾燥器もパージモードにする。供給リザーバの空気圧がガバナの事前設定された「カットイン」調節点まで低下すると、ガバナは、コンプレッサの空気増圧を再開するとともに、空気乾燥器を空気乾燥モードに戻す。
【０００３】
空気乾燥器は、コンプレッサから出た後のコンプレッサの吐出空気から水蒸気および油滴の両方を除去するインラインろ過システムである。この結果、より浄化され、より乾燥した空気が空気ブレーキシステムに供給され、これは、冬の天候での空気管および構成部品の凍結防止に役立つ。空気乾燥器は通常、デシカント材および油分離器を収容する交換可能なカートリッジを使用する。空気が空気乾燥器に入ると、ほとんどの油滴が油分離器によって除去される。その後、空気はデシカント材を通って移動し、デシカント材は水蒸気のほとんどを除去する。
【０００４】
供給リザーバ内の空気圧がガバナの事前設定されたカットアウト調節点に達すると、ガバナはコンプレッサに空気増圧を停止させるとともに、空気乾燥器の「パージサイクル」の開始を可能にする。パージサイクル中、デシカント材は、プロセスの逆転によって再生される（すなわち、水を除去する能力が復活する）。少量の乾燥空気がデシカント材を通過して戻り、収集された水も油分離器によって収集されたいかなる油滴もパージ弁を通して大気にパージされる。パージ弁からパージされた空気には油滴が含まれているため、トラックによって道路に油が付着する。したがって、当業者は、パージ弁からパージされた空気を浄化する研究開発努力を続けている。
【発明の概要】
【課題を解決するための手段】
【０００５】
一実施形態によれば、放出物処理装置は、空気、油、および水を含む放出混合物を受け取り、放出混合物から油および水を分離することによって清浄な空気を提供するよう構成された分離デバイスを備える。放出物処理装置はまた、部材であって、分離デバイスからの分離した油および水のうち油のみまたは水のみのどちらかが、部材の第１の面から部材の開口を通って部材の第２の面に通過することを選択的に許容するための部材を備える。放出物処理装置はさらに、（ｉ）水のみが第１の面から第２の面に通過する場合には、部材の第１の面側で油を受け取って留保するように、また、（ｉｉ）油のみが第１の面から第２の面に通過する場合には、部材の第２の面側で油を受け取って留保するように構成されたサンプと、分離デバイスからの清浄な空気を大気に排気する空気出口と、水を大気に排出する水出口と、を備える。
【０００６】
別の実施形態によれば、放出物処理装置は、空気、油、および水を含む放出混合物を空気乾燥器のパージ弁から受け取り、放出混合物から油および水を分離することによって清浄な空気を提供するよう構成された分離デバイスを備える。放出物処理装置はまた、メッシュスクリーンであって、分離デバイスからの分離した油および水を受け取り、油がメッシュスクリーンのメッシュ開口を通流するのを許容するとともに水がメッシュスクリーンのメッシュ開口を通流するのを妨げるように構成されたメッシュスクリーンを備える。放出物処理装置はさらに、メッシュスクリーンのメッシュ開口を通流してきた油を受け取って留保するように構成されたサンプと、分離デバイスからの清浄な空気を大気に排気する空気出口と、メッシュスクリーンのメッシュ開口を通流するのを妨げられた水を大気に排出する水出口と、を備える。
【０００７】
さらに別の実施形態によれば、放出物処理装置は、空気、油、および水を含む放出混合物を空気乾燥器のパージ弁から受け取り、放出混合物から油および水を分離することによって清浄な空気を提供するよう構成された分離デバイスを備える。放出物処理装置はまた、メッシュスクリーンであって、分離デバイスからの分離した油および水を受け取り、油がメッシュスクリーンのメッシュ開口を通流するのを妨げるとともに水がメッシュスクリーンのメッシュ開口を通流するように構成されたメッシュスクリーンを備える。放出物処理装置はさらに、メッシュスクリーンのメッシュ開口を通流するのを妨げられた油を受け取って留保するように構成されたサンプと、分離デバイスからの清浄な空気を大気に排気する空気出口と、メッシュスクリーンのメッシュ開口を通流してきた水を大気に排出する水出口と、を備える。
【図面の簡単な説明】
【０００８】
【図１】実施形態に従って構築された例示的な放出物処理装置を含む車両空気ブレーキ充填システムの概略図である。
【図２】第１の実施形態に従って構築された図１の放出物処理装置を示す概略図である。
【図３】第２の実施形態に従って構築された図１の放出物処理装置を示す概略図である。
【図４】第３の実施形態に従って構築された図１の放出物処理装置を示す概略図である。
【図５】第４の実施形態に従って構築された図１の放出物処理装置を示す概略図である。
【図６】第５の実施形態に従って構築された図１の放出物処理装置を示す概略図である。
【図７】第６の実施形態に従って構築された図１の放出物処理装置を示す概略図である。
【図８Ａ】第７の実施形態に従って構築された図１の放出物処理装置を示す概略図である。
【図８Ｂ】図８Ａの８Ｂ−８Ｂ線にほぼ沿って取られた断面図であり、図８Ａの放出物処理装置で使用される渦巻形状の分離デバイスを示している。
【図９】第８の実施形態に従って構築された図１の放出物処理装置を示す概略図である。
【図１０Ａ】第９の実施形態に従って構築された図１の放出物処理装置を示す概略図である。
【図１０Ｂ】図１０Ａの放出物処理装置で使用される放出物チャネルの例示的な迷路経路である。
【図１１】第１０の実施形態に従って構築された図１の放出物処理装置を示す概略図である。
【図１２】第１１の実施形態に従って構築された図１の放出物処理装置を示す概略図である。
【発明を実施するための形態】
【０００９】
図１を参照すると、一実施形態に従って構築された例示的な放出物処理装置２００を含む車両空気ブレーキ充填システム１００の概略図が図示されている。車両空気ブレーキ充填システム１００は、従来の方式で圧縮空気を生成する空気コンプレッサ１０２を含む。空気コンプレッサの構造および動作は既知であるため、説明しない。
【００１０】
第１の吐出ライン１０９は、コンプレッサ１０２と空気乾燥器１０８との間を空気圧式に接続する。第２の吐出ライン１１０は、空気乾燥器１０８と供給リザーバ１１２との間を空気圧式に接続する。空気供給ライン１１４は、供給リザーバ１１２と車両の空気ブレーキシステムおよび空気付属品（図示せず）との間を空気圧式に接続する。
【００１１】
ガバナ１２０は、供給リザーバ１１２からの空気圧制御ライン１２２内の空気圧を監視することにより、システム空気圧を事前設定された最大圧力レベルと最小圧力レベルとの間に制御する。供給リザーバ１１２の空気圧がガバナ１２０の事前設定された「カットアウト」調節点の空気圧よりも大きくなると、ガバナは、空気圧制御ライン１２４上のコンプレッサ１０２を制御してコンプレッサの空気増圧を停止する。ガバナ１２０はまた、空気圧制御ライン１２８上のパージ弁１２６を制御し、パージモードで空気乾燥器１０８から空気をパージする。供給リザーバ１１２の空気圧がガバナ１２０の事前設定された「カットイン」調節点まで低下すると、ガバナは、コンプレッサ１０２の空気増圧を再開するとともに、空気乾燥器１０８を空気乾燥モードに戻す。
【００１２】
図２を参照すると、概略図は、第１の実施形態に従って構築された図１の放出物処理装置２００を示している。放出物処理装置２００は、空気乾燥器１０８のパージ弁１２６（図１）からの空気、油、および水の混合物を含む放出物を受け取ることができる流入ポート２０２を含む。代替的に、放出物を、空気、水、および汚染物質を収集するいかなるデバイスから受け取ってもよい。放出物チャネル２０４は、流入ポート２０２と分離デバイス２０６とを相互接続する。分離デバイス２０６での放出物チャネル２０４の断面「Ｘ」は、流入ポート２０２での断面「Ｙ」と比較して小さく、放出物が流入ポート２０２から分離デバイス２０６に流れるときに、放出物の速度を増加させる。放出物は、放出物チャネル２０４に接線方向に入るように、流入ポート２０２に入る。
【００１３】
分離デバイス２０６は、放出混合物から油および水を分離し、それによって清浄な空気を提供するように構成されている。分離デバイス２０６は、放出混合物から油および水を分離して清浄な空気を提供することができるいかなる構成も有することができる。一例として、分離デバイス２０６は、放出混合物を通流させて放出混合物から油および水を分離するサイクロンの構成を有することができる。別の例として、分離デバイス２０６は、放出混合物を通流させて放出混合物から油および水を分離する渦巻チャネルの構成を有することができる。分離デバイス２０６の他の構成も可能である。分離デバイス２０６からのオイルフリーの空気（すなわち、清浄な空気）は、空気出口２０８を通って大気に上方に排気される。
【００１４】
放出物処理装置２００はまた、空気出口２０８の下方に配置されるメッシュスクリーンの形態の部材２１０を含む。メッシュスクリーン２１０は、分離デバイス２０６からの分離した油および水のうち油のみが、メッシュスクリーン２１０のメッシュ開口を通流するのを選択的に許容する親油性材料を備える。メッシュスクリーン２１０は、分離デバイス２０６からの分離した油および水を受け取り、油がメッシュスクリーン２１０のメッシュ開口を通流するのを許容するとともに水がメッシュスクリーン２１０のメッシュ開口を通流するのを妨げるように構成されている。
【００１５】
放出物処理装置２００は、メッシュスクリーン２１０の下方に配置されたサンプ２１２をさらに含む。サンプ２１２は、メッシュスクリーン２１０のメッシュ開口を通流してきた油を受け取って留保するように構成されている。任意選択で、サンプ２１２は、例えば、スポンジ材料を含み得る収集媒体２１３を収容する。他の収集媒体を使用することもできる。代替的に、収集媒体を使用しなくてもよく、そのスペースは、油を収集してサンプ２１２から出ないように設計される。収集媒体を使用する場合、収集媒体は、収集媒体またはサンプ２１２あるいはその両方が交換されるまで油を保持する。メッシュスクリーン２１０のメッシュ開口を通流するのを妨げられた水は、水出口２１４を通って大気に排出される。
【００１６】
より具体的には、図２に示される第１の実施形態の放出物処理装置２００では、メッシュスクリーン２１０は、サンプ２１２の上方に配置されかつ円錐形である。円錐形メッシュスクリーン２１０の頂部は、メッシュスクリーン２１０のメッシュ開口を通流するのを妨げられた水が頂部に向かって下向きに流れるように下向きである。円錐形メッシュスクリーン２１０の頂部近くに配置された水出口２１４は、その後、水を下向きに導いて大気に排出する。
【００１７】
任意選択で、常開のドレン弁２１６は、円錐形メッシュスクリーン２１０の頂部の近傍かつ水出口２１４の上方に配置される。ドレン弁２１６は、円錐形メッシュスクリーン２１０の頂部の近傍に圧力が存在しないときに開いて、収集された水を水出口２１４を通して大気に排出する。
【００１８】
図３を参照すると、概略図は、第２の実施形態に従って構築された放出物処理装置２００ａを示している。フランジ３０１は、人が放出物処理装置２００ａを設置するのを支援するように設けられている。放出物処理装置２００ａは、空気乾燥器１０８のパージ弁１２６（図１）からの空気、油、および水の混合物を含む放出物を受け取ることができる流入ポート３０２を含む。代替的に、放出物を、空気、水、および汚染物質を収集するいかなるデバイスから受け取ってもよい。放出物チャネル３０４は、流入ポート３０２と、１つまたは複数のバッフル３０６（例えば図３に示されている７枚のバッフル）の配置形態の分離デバイスとを相互接続する。バッフル３０６は、千鳥状の同軸バッフルを含み得る。バッフル３０６は、慣性衝突を改善するとともに流れを妨害して放出混合物から油および水を分離する構成に構成されている。油フリーの空気（すなわち、清浄な空気）は、メッシュスクリーンの形態の部材３１０を通過し、空気・水共同出口３１４を通って大気に排気される。
【００１９】
メッシュスクリーン３１０は、バッフル３０６からの分離した油および水のうち水のみが、メッシュスクリーン３１０のメッシュ開口を通流するのを選択的に許容する親水性材料を備える。メッシュスクリーン３１０は、バッフル３０６で偏向されて分離した油および水を受け取り、水がメッシュスクリーン３１０のメッシュ開口を通流するのを許容するとともに油がメッシュスクリーン３１０のメッシュ開口を通流するのを妨げるように構成されている。
【００２０】
放出物処理装置２００ａは、メッシュスクリーン３１０内に配置されたサンプ３１２をさらに含む。サンプ３１２は、バッフル３０６から下向きに流れてきた油を受け取って留保するように構成されている。任意選択で、サンプ３１２は、例えば、スポンジ材料を含み得る収集媒体３１３を収容する。他の収集媒体を使用することもできる。代替的に、収集媒体を使用しなくてもよく、そのスペースは、油を収集してサンプ３１２から出ないように設計される。収集媒体を使用する場合、収集媒体３１３は、収集媒体３１３またはサンプ３１２あるいはその両方が交換されるまで油を保持する。メッシュスクリーン３１０のメッシュ開口を通流してきた空気および水は、出口３１４を通って下向きに大気へと導かれる。
【００２１】
より具体的には、図３の第２の実施形態では、メッシュスクリーン３１０は実質的に円筒形であり、サンプ３１２は円筒形メッシュスクリーン３１０の下端部に配置されている。出口３１４はメッシュスクリーン３１０の外周側に配置されている。メッシュスクリーン３１０のメッシュ開口を通流するのを妨げられた油は、円筒形メッシュスクリーン３１０の下端部に集まる。バッフル３０６は、メッシュスクリーン３１０の内周側に配置され、放出混合物を偏向して衝突力を生成し、油、水、および空気の分離を支援する。
【００２２】
図４を参照すると、概略図は、第３の実施形態に従って構築された放出物処理装置２００ｂを示している。放出物処理装置２００ｂは、空気乾燥器１０８のパージ弁１２６（図１）からの空気、油、および水の混合物を含む放出物を受け取ることができる流入ポート４０２を含む。代替的に、放出物を、空気、水、および汚染物質を収集するいかなるデバイスから受け取ってもよい。放出物チャネル４０４は、流入ポート４０２と、１つまたは複数のバッフル４０６（例えば図４に示されている６枚のバッフル）の配置形態の分離デバイスとを相互接続する。バッフル４０６は、千鳥状のバッフルを含むことができ、慣性衝突を改善するとともに流れを妨害して放出混合物から油および水を分離する構成に構成されている。油フリーの空気（すなわち、清浄な空気）は、メッシュスクリーンの形態の部材４１０を通過し、空気・水共同出口４１４を通って大気に排気される。
【００２３】
メッシュスクリーン４１０は、バッフル４０６で偏向されて分離した油および水を受け取り、水がメッシュスクリーン４１０のメッシュ開口を通流するのを選択的に許容するとともに油がメッシュスクリーン４１０のメッシュ開口を通流するのを妨げるように構成されている。
【００２４】
放出物処理装置２００ｂは、バッフル４０６から下向きに流れてきた油を受け取って留保するように構成されたサンプ４１２をさらに含む。サンプ４１２は、メッシュスクリーン４１０内に配置されている。任意選択で、サンプ４１２は、例えば、スポンジ材料を含み得る収集媒体４１３を収容する。他の収集媒体を使用することもできる。代替的に、収集媒体を使用しなくてもよく、そのスペースは、油を収集してサンプ４１２から出ないように設計される。収集媒体を使用する場合、収集媒体４１３は、収集媒体４１３またはサンプ４１２あるいはその両方が交換されるまで油を保持する。メッシュスクリーン４１０のメッシュ開口を通流してきた空気および水は、出口４１４を通って下向きに大気へと導かれる。
【００２５】
より具体的には、図４の第３の実施形態では、メッシュスクリーン４１０は実質的に円筒形であり、サンプ４１２は円筒形メッシュスクリーン４１０の下端部に配置されている。出口４１４はメッシュスクリーン４１０の外周側に配置されている。メッシュスクリーン４１０のメッシュ開口を通流するのを妨げられた油は、円筒形メッシュスクリーン４１０の下端部に集まる。バッフル４０６は、メッシュスクリーン４１０の内周側に配置され、放出混合物を偏向して衝突力を生成し、油、水、および空気の分離を支援する。
【００２６】
図５を参照すると、概略図は、第４の実施形態に従って構築された放出物処理装置２００ｃを示している。フランジ５０１は、放出物処理装置２００ｃをパージ弁１２６（図１）の位置で空気乾燥器１０８に取り付けることができるように設けられている。放出物処理装置２００ｃは、空気乾燥器１０８のパージ弁１２６からの空気、油、および水の混合物を含む放出物を受け取ることができる流入ポート５０２を含む。代替的に、放出物を、空気、水、および汚染物質を収集するいかなるデバイスから受け取ってもよい。放出物チャネル５０４は、流入ポート５０２と、１つまたは複数のバッフル５０６（例えば図５に示されている４枚のバッフル）の配置形態の分離デバイスとを相互接続する。バッフル５０６は、千鳥状の同軸バッフルを含むことができ、慣性衝突を改善するとともに流れを妨害して放出混合物から油および水を分離する構成に構成されている。オイルフリーの空気（すなわち、清浄な空気）は、メッシュスクリーンの形態の部材５１０を通過し、空気・水共同出口５１４を通って大気に排気される。
【００２７】
メッシュスクリーン５１０は、バッフル５０６で偏向されて分離した油および水を受け取り、水がメッシュスクリーン５１０のメッシュ開口を通流するのを選択的に許容するとともに油がメッシュスクリーン５１０のメッシュ開口を通流するのを妨げるように構成されている。
【００２８】
放出物処理装置２００ｃは、バッフル５０６から下向きに流れてきた油を受け取って留保するように構成されたサンプ５１２をさらに含む。サンプ５１２は、メッシュスクリーン５１０内に配置されている。任意選択で、サンプ５１２は、例えば、スポンジ材料を含み得る収集媒体５１３を収容する。他の収集媒体を使用することもできる。代替的に、収集媒体を使用しなくてもよく、そのスペースは、油を収集してサンプ５１２から出ないように設計される。収集媒体を使用する場合、収集媒体５１３は、収集媒体５１３またはサンプ５１２あるいはその両方が交換されるまで油を保持する。メッシュスクリーン５１０のメッシュ開口を通流してきた空気および水は、出口５１４を通って下向きに大気へと導かれる。
【００２９】
より具体的には、図５に示される第４の実施形態の放出物処理装置２００ｃでは、メッシュスクリーン５１０は、サンプ５１２の上方に配置されかつ円錐形であり、円錐形メッシュスクリーン５１０の頂部は、円錐形メッシュスクリーン５１０のメッシュ開口を通流するのを妨げられた油が円錐形メッシュスクリーン５１０の基部に向かって下向きに流れるように上向きである。円錐形メッシュスクリーン５１０のメッシュ開口を通流するのを妨げられた油は、円錐形メッシュスクリーン５１０の下端部に集まる。バッフル５０６は、円錐形メッシュスクリーンの内周側に配置され、放出混合物を偏向して衝突力を生成し、油、水、および空気の分離を支援する。出口５１４は円錐形メッシュスクリーン５１０の外周側に配置されている。
【００３０】
図６を参照すると、概略図は、第５の実施形態に従って構築された放出物処理装置２００ｄを示している。放出物処理装置２００ｄは、空気乾燥器１０８のパージ弁１２６（図１）からの空気、油、および水の混合物を含む放出物を受け取ることができる流入ポート６０２を含む。代替的に、放出物を、空気、水、および汚染物質を収集するいかなるデバイスから受け取ってもよい。放出物チャネル６０４は、流入ポート６０２と、１つまたは複数のバッフル６０６（例えば図６に示されている１つのバッフル）の配置形態の分離デバイスとを相互接続する。バッフル６０６は、慣性衝突を改善するとともに流れを妨害して放出混合物から油および水を分離する構成に構成されている。オイルフリーの空気（すなわち、清浄な空気）は、空気・水共同出口６１４を通って大気に排気される。
【００３１】
放出物処理装置２００ｄはまた、複数のメッシュスクリーン（例えば、図６に示される３つのメッシュスクリーン）の形態の複数の部材６１０を含む。これらのメッシュスクリーン６１０は、可撓性であり、かつバッフル６０６で偏向されて分離した油および水を受け取り、油がメッシュスクリーン６１０のメッシュ開口を通流するのを選択的に許容するとともに水がメッシュスクリーン６１０のメッシュ開口を通流するのを妨げるように構成されている。メッシュスクリーン６１０は、バッフル６０６からの分離した油および水のうち油のみが、メッシュスクリーン６１０のメッシュ開口を通流するのを許容する親油性材料を備える。
【００３２】
放出物処理装置２００ｄは、メッシュスクリーン６１０の下方に配置されたサンプ６１２をさらに含む。サンプ６１２は、バッフル６０６およびメッシュスクリーン６１０から下方に流れてきた油を受け取って留保するように構成されている。任意選択で、サンプ６１２は、例えば、スポンジ材料を含み得る収集媒体６１３を収容する。他の収集媒体を使用することもできる。代替的に、収集媒体を使用しなくてもよく、そのスペースは、油を収集してサンプ６１２から出ないように設計される。収集媒体を使用する場合、収集媒体６１３は、収集媒体６１３またはサンプ６１２あるいはその両方が交換されるまで油を保持する。メッシュスクリーン６１０のメッシュ開口を通流するのを妨げられた空気および水は、出口６１４を通って大気へと導かれる。
【００３３】
より具体的には、図６に示される第５の実施形態の放出物処理装置２００ｄでは、各メッシュスクリーン６１０は、サンプ６１２の上方に配置され、アーチ状であり、アーチ状メッシュスクリーン６１０のメッシュ開口を通流した油がアーチ状メッシュスクリーン６１０の基部に向かって下向きに流れるようになっている。油は、アーチ状メッシュスクリーン６１０の基部で集まる。バッフル６０６は、アーチ状メッシュスクリーン６１０の上方に配置され、放出混合物を偏向して衝突力を生成し、油、水、および空気の分離を支援する。
【００３４】
図７を参照すると、概略図は、第６の実施形態に従って構築された放出物処理装置２００ｅを示している。放出物処理装置２００ｅは、空気乾燥器１０８のパージ弁１２６（図１）からの空気、油、および水の混合物を含む放出物を受け取ることができる流入ポート７０２を含む。代替的に、放出物を、空気、水、および汚染物質を収集するいかなるデバイスから受け取ってもよい。放出物チャネル７０４は、流入ポート７０２と、１つまたは複数のバッフル７０６（例えば図７に示されている１つのバッフル）の配置形態の分離デバイスとを相互接続する。バッフル７０６は、慣性衝突を改善するとともに流れを妨害して油および水を分離する構成に構成されている。オイルフリーの空気（すなわち、清浄な空気）は、空気・水共同出口７１４を通って大気に排気される。
【００３５】
放出物処理装置２００ｅはまた、１つまたは複数の半球状のメッシュスクリーン（例えば、図７に示される１つのメッシュスクリーン）の形態の１つまたは複数の部材７１０を含む。メッシュスクリーン７１０は、バッフル７０６で偏向されて分離した油および水を受け取り、油がメッシュスクリーン７１０のメッシュ開口を通流するのを選択的に許容するとともに水がメッシュスクリーン７１０のメッシュ開口を通流するのを妨げるように構成されている。メッシュスクリーン７１０は、バッフル７０６からの分離した油および水のうち油のみが、メッシュスクリーン７１０のメッシュ開口を通流するのを許容する親油性材料を備える。
【００３６】
放出物処理装置２００ｅは、バッフル７０６およびメッシュスクリーン７１０から下方に流れてきた油を受け取って留保するように構成されたサンプ７１２をさらに含む。サンプ７１２は、メッシュスクリーン７１０の下方に配置されている。任意選択で、サンプ７１２は、例えば、スポンジ材料を含み得る収集媒体７１３を収容する。他の収集媒体を使用することもできる。代替的に、収集媒体を使用しなくてもよく、そのスペースは、油を収集してサンプ７１２から出ないように設計される。収集媒体を使用する場合、収集媒体７１３は、収集媒体７１３またはサンプ７１２あるいはその両方が交換されるまで油を保持する。メッシュスクリーン７１０のメッシュ開口を通流するのを妨げられた空気および水は、出口７１４を通って大気へと導かれる。
【００３７】
より具体的には、図７に示される第６の実施形態の放出物処理装置２００ｅでは、メッシュスクリーン７１０は、サンプ７１２の上方に配置され、半円状であり、半円状メッシュスクリーン７１０のメッシュ開口を通流した油が半円状メッシュスクリーン７１０の基部に向かって下向きに流れるようになっている。油は、半円状メッシュスクリーン７１０の下部で集まる。バッフル７０６は、半円状メッシュスクリーン７１０の上部に配置され、放出混合物を偏向して衝突力を生成し、油、水、および空気の分離を支援する。出口７１４は、半円状メッシュスクリーン７１０の外周側に配置されている。油出口７１６は、サンプ７１２内に留保されていた油が排出されるのを可能にする。
【００３８】
図８Ａを参照すると、概略図は、第７の実施形態に従って構築された放出物処理装置２００ｆを示している。放出物処理装置２００ｆは、空気乾燥器１０８のパージ弁１２６（図１）からの空気、油、および水の混合物を含む放出物を受け取ることができる流入ポート８０２を含む。代替的に、放出物を、空気、水、および汚染物質を収集するいかなるデバイスから受け取ってもよい。放出混合物は流入ポート８０２から渦巻状チャネル８０６の形態の分離デバイスを通流し、放出混合物から油および水が分離される。流入ポート８０２および空気・水共同出口８１４を有する例示的な渦巻状チャネル８０６が図８Ｂに示されている。渦巻状チャネル８０６からのオイルフリーの空気（すなわち、清浄な空気）は、出口８１４を通って大気に水平方向に排気される。
【００３９】
放出物処理装置２００ｆはまた、渦巻状チャネル８０６の下方に配置されたメッシュスクリーンの形態の部材８１０を含む。メッシュスクリーン８１０は、渦巻状チャネル８０６からの分離した油および水のうち油のみがメッシュスクリーン８１０のメッシュ開口を通流するのを選択的に許容する親油性材料を備える。メッシュスクリーン８１０は、渦巻状チャネル８０６からの分離した油および水を受け取り、油がメッシュスクリーン８１０のメッシュ開口を通流するのを許容するとともに水がメッシュスクリーン８１０のメッシュ開口を通流するのを妨げるように構成されている。
【００４０】
放出物処理装置２００ｆは、メッシュスクリーン８１０のメッシュ開口を通流してきた油を受け取って留保するように構成されたサンプ８１２をさらに含む。サンプ８１２は、メッシュスクリーン８１０の下方に配置されるとともに、油出口８１６を有する。任意選択で、サンプ８１２は、例えば、スポンジ材料を含み得る収集媒体８１３を収容する。他の収集媒体を使用することもできる。代替的に、収集媒体を使用しなくてもよく、そのスペースは、油を収集してサンプ８１２から出ないように設計される。収集媒体を使用する場合、収集媒体８１３は、収集媒体８１３またはサンプ８１２あるいはその両方が交換されるまで油を保持する。メッシュスクリーン８１０のメッシュ開口を通流するのを妨げられた空気および水は、出口８１４を通って大気へと導かれる。
【００４１】
より具体的には、図８Ａに示される第７の実施形態の放出物処理装置２００ｆでは、メッシュスクリーン８１０は、サンプ８１２の上方に配置され、平面状であり、メッシュスクリーン８１０のメッシュ開口を通流するのを妨げられた水が空気・水共同出口８１４を水平方向に通流して大気に排出されるようになっている。油出口８１６は、サンプ８１２内に留保されていた油が排出されるのを可能にする。
【００４２】
図９を参照すると、概略図は、第８の実施形態に従って構築された放出物処理装置２００ｇを示している。放出物処理装置２００ｇは、空気乾燥器１０８のパージ弁１２６（図１）からの空気、油、および水の混合物を含む放出物を受け取ることができる流入ポート９０２を含む。代替的に、放出物を、空気、水、および汚染物質を収集するいかなるデバイスから受け取ってもよい。放出混合物は流入ポート９０２から放出物チャネル９０６を通流し、放出混合物から油および水が分離される。放出物チャネル９０６からのオイルフリーの空気は、空気出口管９０８を通って大気に水平方向に排気される。突出片９０９が空気出口管９０８の一方の端部に配置され、この突出片９０９は、放出物チャネル９０６からのオイルフリーの空気が空気出口管９０８に流入するように渦流（またはサイクロン）の形成を容易にするために設けられている。
【００４３】
放出物処理装置２００ｇはまた、空気出口管９０８の下方に配置されたメッシュスクリーンの形態の部材９１０を含む。メッシュスクリーン９１０は、放出物チャネル９０６からの分離した油および水のうち油のみがメッシュスクリーン９１０のメッシュ開口を通流するのを選択的に許容する親油性材料を備える。メッシュスクリーン９１０は、放出物チャネル９０６からの分離した油および水を受け取り、油がメッシュスクリーン９１０のメッシュ開口を通流するのを許容するとともに水がメッシュスクリーン９１０のメッシュ開口を通流するのを妨げるように構成されている。
【００４４】
放出物処理装置２００ｇは、メッシュスクリーン９１０のメッシュ開口を通流してきた油を受け取って留保するように構成されたサンプ９１２をさらに含む。サンプ９１２は、メッシュスクリーン９１０の下方に配置されるとともに油出口９１６を有する。任意選択で、サンプ９１２は、例えば、スポンジ材料を含み得る収集媒体９１３を収容する。他の収集媒体を使用することもできる。代替的に、収集媒体を使用しなくてもよく、そのスペースは、油を収集してサンプ９１２から出ないように設計される。収集媒体を使用する場合、収集媒体９１３は、収集媒体９１３またはサンプ９１２あるいはその両方が交換されるまで油を保持する。メッシュスクリーン９１０のメッシュ開口を通流するのを妨げられた水は、水出口９１４を通って大気に排出される。
【００４５】
より具体的には、図９に示される第８の実施形態の放出物処理装置２００ｇでは、メッシュスクリーン９１０は、サンプ９１２の上方に配置され、平面状であり、メッシュスクリーン９１０のメッシュ開口を通流するのを妨げられた水が水出口９１４を水平方向に通流して大気に排出されるようになっている。油出口９１６は、サンプ９１２内に留保されていた油が排出されるのを可能にする。
【００４６】
図１０Ａを参照すると、概略図は、第９の実施形態に従って構築された放出物処理装置２００ｈを示している。放出物処理装置２００は、空気乾燥器１０８のパージ弁１２６（図１）からの空気、油、および水の混合物を含む放出物を受け取ることができる流入ポート１００２を含む。代替的に、放出物を、空気、水、および汚染物質を収集するいかなるデバイスから受け取ってもよい。放出混合物は流入ポート１００２から放出物チャネル１００４の迷路経路を通流し、放出混合物から油および水が分離される。図１０Ａの放出物処理装置２００ｈで使用可能な、放出物チャネル１００４の例示的な迷路経路が図１０Ｂに示されている。放出物チャネル１００４の迷路経路は、複数のバッフル１００６によって画定されている。放出物チャネル１００６からのオイルフリーの空気（すなわち、清浄な空気）は、複数の空気・水共同出口１０１４（例えば図１０Ａに示された８つの空気・水共同出口）を通って大気に水平方向に排気される。
【００４７】
放出物処理装置２００ｈはまた、空気出口１０１４の下方に配置されたメッシュスクリーンの形態の部材１０１０を含む。メッシュスクリーン１０１０は、放出物チャネル１００４からの分離した油および水のうち油のみがメッシュスクリーン１０１０のメッシュ開口を通流するのを選択的に許容する親油性材料を備える。メッシュスクリーン１０１０は、放出物チャネル１００４からの分離した油および水を受け取り、油がメッシュスクリーン１０１０のメッシュ開口を通流するのを許容するとともに水がメッシュスクリーン１０１０のメッシュ開口を通流するのを妨げるように構成されている。
【００４８】
放出物処理装置２００ｈは、メッシュスクリーン１０１０の下方に配置されるとともに油出口１０１６を有するサンプ１０１２をさらに含む。サンプ１０１２は、メッシュスクリーン１０１０のメッシュ開口を通流してきた油を受け取って留保するように構成されている。任意選択で、サンプ１０１２は、例えば、スポンジ材料を含み得る収集媒体１０１３を収容する。他の収集媒体を使用することもできる。代替的に、収集媒体を使用しなくてもよく、そのスペースは、油を収集してサンプ１０１２から出ないように設計される。収集媒体を使用する場合、収集媒体１０１３は、収集媒体１０１３またはサンプ１０１２あるいはその両方が交換されるまで油を保持する。メッシュスクリーン１０１０のメッシュ開口を通流するのを妨げられた水は、空気・水共同出口１０１４を通って大気に排出される。
【００４９】
より具体的には、図１０Ａに示される第９の実施形態の放出物処理装置２００ｈでは、メッシュスクリーン１０１０は、サンプ１０１２の上方に配置され、平面状であり、メッシュスクリーン１０１０のメッシュ開口を通流するのを妨げられた水が空気・水共同出口１０１４を水平方向に通流して大気に排出されるようになっている。
【００５０】
図１１を参照すると、概略図は、第１０の実施形態に従って構築された放出物処理装置２００ｉを示している。図１１の放出物処理装置２００ｉは、図２の放出物処理装置２００の変形例であるが、より大きな交換可能な収集サンプを有する。放出物処理装置２００ｉは、空気乾燥器１０８のパージ弁１２６（図１）からの空気、油、および水の混合物を含む放出物を受け取ることができる流入ポート１１０２を含む。代替的に、放出物を、空気、水、および汚染物質を収集するいかなるデバイスから受け取ってもよい。放出物チャネル１１０４は、流入ポート１１０２と分離デバイス１１０６とを相互接続する。分離デバイス１１０６での放出物チャネル１１０４の断面「Ｘ」は、流入ポート１１０２での断面「Ｙ」と比較して小さく、放出物が流入ポート１１０２から分離デバイス１１０６に流れるときに、放出物の速度を増加させる。
【００５１】
分離デバイス１１０６は、放出混合物から油および水を分離するよう構成されている。分離デバイス１１０６は、放出混合物から油および水を分離して清浄な空気を提供することができるいかなる構成も有することができる。一例として、分離デバイス１１０６は、放出混合物を通流させて放出混合物から油および水を分離するサイクロンの構成を有することができる。別の例として、分離デバイス１１０６は、放出混合物を通流させて放出混合物から油および水を分離する渦巻チャネルの構成を有することができる。分離デバイス１１０６の他の構成も可能である。分離デバイス１１０６からのオイルフリーの空気（すなわち、清浄な空気）は、空気出口１１０８を通って大気に上方に排気される。
【００５２】
放出物処理装置２００ｉはまた、空気出口１１０８の下方に配置される第１のメッシュスクリーンの形態の部材１１１０を含む。第１のメッシュスクリーン１１１０は、分離デバイス１１０６からの分離した油および水のうち油のみが、第１のメッシュスクリーン１１１０のメッシュ開口を通流するのを選択的に許容する親油性材料を備える。第１のメッシュスクリーン１１１０は、分離デバイス１１０６からの分離した油および水を受け取り、油がメッシュスクリーン１１１０のメッシュ開口を通流するのを許容するとともに水が第１のメッシュスクリーン１１１０のメッシュ開口を通流するのを妨げるように構成されている。
【００５３】
放出物処理装置２００ｉは、第１のメッシュスクリーン１１１０の下方に配置されたサンプ１１１２をさらに含む。サンプ１１１２は、第１のメッシュスクリーン１１１０のメッシュ開口を通流してきた油を受け取って留保するように構成されている。任意選択で、サンプ１１１２は、例えば、スポンジ材料を含み得る収集媒体１１１３を収容する。他の収集媒体を使用することもできる。代替的に、収集媒体を使用しなくてもよく、そのスペースは、油を収集してサンプ１１１２から出ないように設計される。収集媒体を使用する場合、収集媒体１１１３は、収集媒体１１１３またはサンプ１１１２あるいはその両方が交換されるまで油を保持する。第１のメッシュスクリーン１１１０のメッシュ開口を通流するのを妨げられた水は、第２のメッシュスクリーンの形態の別の部材１１１８を通って大気に排出される。
【００５４】
より具体的には、図１１に示される第１０の実施形態の放出物処理装置２００ｉでは、第２のメッシュスクリーン１１１８は、第１のメッシュスクリーン１１１０およびサンプ１１１２の真下に配置されている。第２のメッシュスクリーン１１１８は、サンプ１１１２内の水のみが、第２のメッシュスクリーン１１１８のメッシュ開口を通流するのを選択的に許容する親水性材料を備える。図１１では、第１のメッシュスクリーン１１１０の真下に配置されている第２のメッシュスクリーン１１１８が示されているが、第２のメッシュスクリーン１１１８を第１のメッシュスクリーン１１１０に対してオフセット（すなわち図１１で見て右側または左側にオフセット）することも考えられる。
【００５５】
図１２を参照すると、概略図は、第１１の実施形態に従って構築された放出物処理装置２００ｊを示している。放出物処理装置２００ｊは、空気乾燥器１０８のパージ弁１２６（図１）からの空気、油、および水の混合物を含む放出物を受け取ることができる流入ポート１２０２を含む。代替的に、放出物を、空気、水、および汚染物質を収集するいかなるデバイスから受け取ってもよい。放出物チャネル１２０４は、流入ポート１２０２と、油吸収デシカントの床敷の形態である分離デバイス１２０６とを相互接続する。油吸収デシカント１２０６は、放出混合物から油および水を分離するよう構成されている。油吸収デシカント１２０６からのオイルフリーの空気（すなわち、清浄な空気）は、ハウジング１２０９の複数の空気出口１２０８を通って大気に排気される。ハウジング１２０９は、メンテナンスまたはサービスを行う人が油吸収デシカント１２０６の状況を目視できるように透明なプラスチック材料を備えてよい。
【００５６】
放出物処理装置２００ｊはまた、ハウジング１２０９の下部に配置されたメッシュスクリーンの形態の部材１２１０を含む。メッシュスクリーン１２１０は、油吸収デシカント１２０６からの分離した油および水のうち水のみが、メッシュスクリーン１２１０のメッシュ開口を通流するのを選択的に許容する親水性材料を備える。メッシュスクリーン１２１０は、分離デバイス１１０６からの分離した油および水を受け取り、水がメッシュスクリーン１２１０のメッシュ開口を通流して大気に排出されるのを許容するとともに油がメッシュスクリーン１２１０のメッシュ開口を通流するのを妨げるように構成されている。
【００５７】
より具体的には、図１２に示される第１１の実施形態の放出物処理装置２００ｊでは、油吸収デシカント１２０６は、放出混合物を通流させる放出物チャネルと、油を保持するためのサンプとの両方として作用する。
【００５８】
上記の説明は、図１２の第１１の実施形態が透明なプラスチックのハウジングを含むものとして説明しているが、他の実施形態のいずれにも透明なハウジングを設けることができると考えられる。
【００５９】
また、上記の説明は、様々な実施形態の各処理装置が、１つまたは複数のメッシュスクリーンの形態の１つまたは複数の部材を有するものとして説明しているが、１つまたは複数の部材は、交絡構造を有する別の材料の形態であると考えられる。１つまたは複数の部材が、非交絡構造を有する材料の形態であることも考えられる。一例として、非交絡構造は、単片格子を備えることができる。非交絡（または交絡）構造を有する他の材料も可能である。
【００６０】
また、上記の説明は、様々な実施形態の各放出物処理装置を独立した装置として説明しているが、放出物処理装置は、空気乾燥器１０８（図１）のパージ弁１２６に接続可能なアダプタユニットの一部であると考えられる。さらに、本明細書に記載のいくつかの実施形態のみが、水および空気を大気に流すための単一の通路を含むが、水および空気が同一の通路を通って大気に流れることができるように、他の実施形態のいずれも再設計することが考えられる。
【００６１】
さらに、上記の説明は、トラックなどの大型車両で使用される放出物処理装置を説明しているが、放出物処理装置は、例えば、バスなどの他のタイプの大型車両でも使用することができると考えられる。
【００６２】
上記の実施形態のそれぞれにおける放出物処理装置が、分離デバイスからの分離した油および水のうち油のみまたは水のみのどちらかがメッシュの第１の面からメッシュの開口を通ってメッシュの第２の面に通過するのを許容するためのメッシュを備えることは明らかとなるはずである。サンプは、（ｉ）水のみが第１の面から第２の面に通過する場合には、メッシュの第１の面側で油を受け取って留保するように、また、（ｉｉ）油のみが第１の面から第２の面に通過する場合には、メッシュの第２の面側で油を受け取って留保するように構成されている。いくつかの実施形態では、分離デバイスは、メッシュに対して位置決めされた１つまたは複数のバッフルを含み、このバッフルは、放出混合物を偏向して衝突力を生成し、油、水、および空気の分離を支援する。
【００６３】
水のみがメッシュの第１の面からメッシュの第２の面に通過することが許容される場合、メッシュスクリーンは親水性材料を備える。いくつかの実施形態では、親水性メッシュスクリーンのメッシュ開口は、約８．０×１０−４インチ（０．００２センチメートル）〜約８．０×１０−３インチ（０．０２センチメートル）の平均開口サイズを有する。油のみがメッシュの第１の面からメッシュの開口を通ってメッシュの第２の面に通過することが許容される場合、メッシュは親油性材料を備える。いくつかの実施形態では、親油性メッシュスクリーンのメッシュ開口は、約８．０×１０−４インチ（０．００２センチメートル）〜約８．０×１０−３インチ（０．０２センチメートル）の平均開口サイズを有する。
【００６４】
いくつかの実施形態では、超疎油性メッシュを使用することができる。超疎油性メッシュは約１５０度〜約１８０度の油接触角を有する。いくつかの実施形態では、超疎水性メッシュを使用することができる。超疎水性メッシュは約１５０度〜約１８０度の水接触角を有する。
【００６５】
放出物処理装置が、比較的低背で、全体的な物理的寸法が比較的小さい形状を有することも明らかとなるはずである。これにより、利用可能な設置スペースが比較的狭い用途では、放出物処理装置をより簡単に設置することができる。放出物処理装置は、特定の用途の必要性に応じて、他のプロファイル形状および他の全体的な物理的寸法を有し得ると考えられる。
【００６６】
本発明は、例示的な処理およびシステム構成部品の説明によって例示されており、また様々な処理および構成部品が詳細に説明されているが、出願人は、添付の特許請求の範囲をそのような詳細に制限またはいかなる形でも限定する意図はない。追加の修正も当業者には容易に明らかになるであろう。したがって、本発明は、その最も広い態様において、図示され説明された特定の詳細、実施、または例示的な例に限定されない。したがって、出願人の一般的な発明概念の精神または範囲から逸脱することなく、そのような詳細からの逸脱がなされてもよい。
【図１】
2021522989.tif 000003
【図２】
2021522989.tif 000004
【図３】
2021522989.tif 000005
【図４】
2021522989.tif 000006
【図５】
2021522989.tif 000007
【図６】
2021522989.tif 000008
【図７】
2021522989.tif 000009
【図８Ａ】
2021522989.tif 000010
【図８Ｂ】
2021522989.tif 000011
【図９】
2021522989.tif 000012
【図１０Ａ】
2021522989.tif 000013
【図１０Ｂ】
2021522989.tif 000014
【図１１】
2021522989.tif 000015
【図１２】
2021522989.tif 000016
【国際調査報告】
2021522989.tif 000017
2021522989.tif 000018